(57)【要約】【課題】作業者の腰回りに工具収納物の着脱が容易に出来る工具帯を提供する。【解決手段】複数のベルト押えを左右方向に間隔をあけて設けた幅広の補助ベルト２の当該各ベルト押え２ａに胴ベルト１を通し、各ベルト押え２ａ間の胴ベルト２に工具用サック１０を取り付けた工具帯Ａにおいて、正面に嵌合孔を有し、背面にベルト挿通部を有する被係止具４を複数設け、被係止具４の嵌合孔に嵌合自在な嵌合突部を有する係止具を背面に備えた工具用サック１０を複数設け、複数の各被係止具４を、各ベルト挿通部に胴ベルト１を通して各ベルト押え２ａの間の胴ベルト１に予め装着しておき、これらの複数の一部又は全部の被係止具４の嵌合孔に工具用サック１０の係止具の嵌合突部を着脱自在に嵌めて胴ベルト１に工具用サック１０を取り付けた。【選択図】図１
0003172338.tif 000002
【実用新案登録請求の範囲】
【請求項１】
複数のベルト押えを左右方向に間隔をあけて設けた幅広の補助ベルトの当該各ベルト押えにベルト本体を通し、当該各ベルト押え間のベルト本体に工具収納物を取り付けた工具帯において、
正面に嵌合孔を有し、背面にベルト挿通部を有する被係止具を複数設け、
前記被係止具の嵌合孔に嵌合自在な嵌合突部を有する係止具を背面に備えた工具収納物を複数設け、
前記複数の各被係止具を、各ベルト挿通部にベルト本体を通して各ベルト押えの間のベルト本体に予め装着しておき、これらの複数の一部又は全部の被係止具の嵌合孔に前記工具収納物の係止具の嵌合突部を着脱自在に嵌めて前記ベルト本体に工具収納物を取り付けたことを特徴とする、工具帯。
【請求項２】
前記被係止具の正面側に、上端が開口した嵌合孔を設け、当該嵌合孔の内部両側に弾性体から成る係止脚を設け、当該各係止脚の背面に前記係止脚を押し開き自在な板体を上下方向に移動自在に挿入して解除ボタンを形成し、当該嵌合孔の背面側に左右に開口部を有する空間を形成して前記ベルト挿通部とし、
前記ベルト本体を前記ベルト挿通部に通して当該ベルト本体に前記被係止具を取り付け、
前記被係止具の嵌合孔に、前記工具収納物の係止具の嵌合突部を嵌め入れた際、当該係止具の嵌合突部が前記被係止具の係止脚に係止され、当該係止具の嵌合突部は前記被係止具の嵌合孔から抜けず、
また、前記解除ボタンを押下することにより前記係止具の嵌合突部の前記係止脚による係止が解除され前記工具収納物を上方へ押し上げることにより当該ベルト本体から工具収納物を取り外すことが可能な構成であることを特徴とする、前記請求項１に記載の工具帯。
【請求項３】
正面に強力な磁石を有し、背面には前記ベルト本体への係止部を有する工具用簡易係止具であって、
当該工具用簡易係止具の磁石に工具の吸磁性体を吸着させる構成としたことを特徴とする前記請求項１、２に記載の工具帯。
【考案の詳細な説明】
【技術分野】
【０００１】
この考案は、工具、例えば、電気工事や電気設備のメンテナンスの作業等を行う際に使用するドライバー、ニッパー等の工具を収納する工具収納物を作業者の腰回りに取り付ける工具帯に関するものである。
【背景技術】
【０００２】
従来、柱上等の高所で作業者が作業を行う際には、当該作業者の落下を防ぐために、フックとロープを備えた安全帯を装着して行われている。この様な安全帯のベルト部分には、革製又はキャンパス地等の丈夫な生地から成る工具収納物である、ドライバー用サック、ニッパー用サック等（以下、まとめて「工具用サック」と言う。）を通して、ドライバーやニッパー等の工具を携帯している。
【０００３】
この様な安全帯として、図１４に示すように、補助ベルト３４に複数のベルト押え３１を備え、当該補助ベルト３４の各ベルト押え３１にベルト３２を通したものがある。これは、工具用サック３３の上部の吊りループ３３ａをベルト３２に通すために、工具用サック３３を取り付ける際、複数のベルト押え３１からベルト３２を外して工具用サック３３の吊りループ３３ａにベルト３２を通し、その後、再び各ベルト押え３１に通す。不要な工具用サック３３を外す場合も、いちいち補助ベルト３４のベルト押え３１からベルト３２を抜いて工具用サック３３を外している。
【０００４】
これに対して、特許文献１に示すものが開発された。これは、安全帯のベルトとは別に、工具用サックを吊るすベルトを設けたもので、具体的には、胴当てベルトの一端部より中央部に向けてベルト状の長舌片を設け、同じく他端部より前記長舌片に対応してベルト状のバックル片を設け、長舌片は、バックル片よりも長く設定し、胴当てベルト中央のベルト押えに挿通した後、バックル片と連結されるというものである。
【０００５】
使用に当たっては、長舌片とバックル片の係止を解き、長舌片を中央のベルト押えより抜き、これらのバックル片や長舌片を、工具袋、ペンチ差しなどの上部に設けた吊りループに通して、長舌片を再度前記ベルト押えに通してバックル片と係止するものである。
【０００６】
また、特許文献２のようなベルトホルダーが開発されている。これは、曲折した連結部を介して差込部と対面する保持部からなっているもので、これらの対面する間にベルトが入るに十分な空間が保有されている。また、前記保持部の背面に保持する物体を支持している。
【特許文献１】実開平６−５８９５７号公報
【特許文献２】実用新案登録第３０１０４０１号公報
【考案の開示】
【考案が解決しようとする課題】
【０００７】
しかしながら、前記特許文献１の安全帯においては、工具用サックを装着する場合、又は外す場合、やはり長舌片をバックル片のバックルから外し、さらに、ベルト押えから外して取り出さなければならず、極めて不便である。
【０００８】
また、その為、工具の交換や並び替えが容易に出来なかった場合、不要な工具や工具用サックを取り付けたまま作業を行ったり、又は必要な工具をとりあえず工具袋に入れて作業を行うなど、好適な条件のもとでの作業とは言えなかった。また、現場を移動する際には、安全帯をコンパクトにまとめることが出来ず、不要な工具までも所持することとなり、重量があると共にかさばり、作業者にとっては不便であると共に、腰を痛める原因ともなっていた。さらに、工具袋を清掃する際には、安全帯ごと逆さまにしなければならず、この点でも不便であった。
【０００９】
また、前記特許文献２のベルトホルダーでは、ベルトをバックルから外さずに取り出しが出来るが、当該ベルトホルダーを取り出すには、ベルトホルダーを左右何れかに傾斜させて脱落防止爪をベルトと交差させ、脱落防止機能を無効にさせてそのまま一方向へ回転させてひねりながら持ち上げて取り出すものである。しかし、作業者が当該ベルトホルダーを使用中、何かの拍子にベルトホルダーが回転した場合など、簡単に取り外れる可能性があり、また、保持する物体が工具用サック等の場合、工具が脱落してしまうおそれが有る。特に、高所で作業中に、当該ベルトホルダーが回転して工具が落下するようなことになれば極めて危険であり、この様な事態の招来は避けねばならない。
【００１０】
この考案は、これらの点に鑑みて為されたもので、作業者の腰回りに取り付け、工具収納物の着脱が容易に出来る反面、工具収納物を取り付ける被係止具がベルト等から不用意には外れない工具帯を提供して前記課題を解決するものである。
【課題を解決するための手段】
【００１１】
請求項１の考案は、複数のベルト押えを左右方向に間隔をあけて設けた幅広の補助ベルトの当該各ベルト押えにベルト本体を通し、当該各ベルト押え間のベルト本体に工具収納物を取り付けた工具帯において、正面に嵌合孔を有し、背面にベルト挿通部を有する被係止具を複数設け、前記被係止具の嵌合孔に嵌合自在な嵌合突部を有する係止具を背面に備えた工具収納物を複数設け、前記複数の各被係止具を、各ベルト挿通部にベルト本体を通して各ベルト押えの間のベルト本体に予め装着しておき、これらの複数の一部又は全部の被係止具の嵌合孔に前記工具収納物の係止具の嵌合突部を着脱自在に嵌めて前記ベルト本体に工具収納物を取り付けた工具帯とした。
【００１２】
請求項２の考案は、前記被係止具の表面側に、上端が開口した嵌合孔を設け、当該嵌合孔の内部両側に弾性体から成る係止脚を設け、当該各係止脚の背面に前記係止脚を押し開き自在な板体を上下方向に移動自在に挿入して解除ボタンを形成し、当該嵌合孔の背面側に左右に開口部を有する空間を形成して前記ベルト挿通部とし、前記ベルト本体を前記ベルト挿通部に通して当該ベルト本体に前記被係止具を取り付け、前記被係止具の嵌合孔に、前記工具収納物の係止具の嵌合突部を嵌め入れた際、当該係止具の嵌合突部が前記被係止具の係止脚に係止され、当該係止具の嵌合突部は前記被係止具の嵌合孔から抜けず、また、前記解除ボタンを押下することにより前記係止具の嵌合突部の前記係止脚による係止が解除され前記工具収納物を上方へ押し上げることにより当該ベルト本体から工具収納物を取り外すことが可能な構成である前記請求項１に記載の工具帯とした。
【００１３】
請求項３の考案は、正面に強力な磁石を有し、背面には前記ベルト本体への係止部を有する工具用簡易係止具であって、当該工具用簡易係止具の磁石に工具の吸磁性体を吸着させる構成とした前記請求項１、２に記載の工具帯。
【考案の効果】
【００１４】
請求項１の考案によれば、工具収納物を工具帯のベルト本体に取り付けた被係止具から係止具の嵌合突部を抜くことによりベルト本体から取り外すことが出来るので、作業者はベルト本体を腰又は工具帯から外すことなく、前記工具収納物を簡単に工具帯から着脱出来る。従って、工具収納物の取替えが手間を掛けず簡単に行えるので、不要な工具等は簡単に取り外すことが出来、いつも必要な工具だけを所持していることが出来、また、所望の被係止具に工具収納物を装着することが出来る。従って、作業者も身軽になり、作業も円滑に行えるものである。また、工具帯に取り付ける工具等の重量を抑えることが出来、作業者にとっても無用の負担を避けることが出来る。
【００１５】
また、工具帯に取り付ける工具重量のバランスを考えた工具等の並び替えも、同様に簡単に出来るので、作業者は動き易くなり、作業効率もアップするものである。
【００１６】
請求項２の考案によれば、ワンタッチで、被係止具と係止具の着脱が出来、工具等の着脱が極めて容易に出来る。また、被係止具と係止具による係止は、確実かつ強固にできるので、例えば、腰回り等で工具等がぶらぶらと不用意に動いたりすることが無く安定しており、装着感が良く、作業もはかどるものである。
【００１７】
請求項３の考案によれば、正面に強力な磁石を設け、背面には前記ベルト本体への係止部を備えて成る係止具であって、この工具用簡易係止具の磁石に工具の吸磁性体を吸着させることとしたので、前記請求項１、２の各考案の係止具のように工具用サック内に工具を収納すると言うよりは、工具を仮留めしたい又は仮置きしたい時などに有効である。
【考案を実施するための最良の形態】
【００１８】
複数のベルト押えを左右方向に間隔をあけて設けた幅広の補助ベルトの当該各ベルト押えにベルト本体を通し、当該各ベルト押え間のベルト本体に工具収納物を取り付けた工具帯において、正面に嵌合孔を有し、背面にベルト挿通部を有する被係止具を複数設け、前記被係止具の嵌合孔に嵌合自在な嵌合突部を有する係止具を背面に備えた工具収納物を複数設け、前記複数の各被係止具を、各ベルト挿通部にベルト本体を通して各ベルト押えの間のベルト本体に予め装着しておき、これらの複数の一部又は全部の被係止具の嵌合孔に前記複数の工具収納物の係止具の嵌合突部を着脱自在に嵌めて、前記ベルト本体に工具収納物を取り付けた工具帯である。
【００１９】
これにより、ベルト本体に被係止具を取り付けたままで被係止具から工具収納物（工具用サック等）を取り外すことが出来るのでベルト本体を工具帯から外すことなく、工具収納物を工具帯に取り付けたり、取り外したりすることが出来る。
【実施例１】
【００２０】
以下、この考案の実施例１の工具収納物を取り付けた工具帯を図に基づいて説明する。ここでは、工具帯として、高所での作業において作業者が通常腰回りに取り付ける安全帯を使用する。また、この安全帯に取り付ける工具収納物として、電気工事や電気設備のメンテナンスの作業等を行う際に使用するドライバー、ニッパー等の工具を吊下げて収納する工具用サックを使用する。
【００２１】
図１は、この考案の実施例１の安全帯Ａの胴ベルト１に被係止具４を複数取り付け、その内の一部に工具用サック１０を取り付けた状態を示す正面図である。図２は、この考案の実施例１の被係止具４の斜視図である。図３は、この考案の実施例１の被係止具４の側面図である。
【００２２】
また、図４は、この考案の実施例１において、工具用サック１０の背面に係止具４を取り付けた状態の一部背面図である。図５は、この考案の実施例１において、工具用サック１０の背面に係止具９を取り付けた状態の平面図である。
【００２３】
この安全帯Ａは、概略、図１に示す様に、胴ベルト１、補助ベルト２、バックル３、ロープ及びフックから成る（図１ではロープ及びフックの記載を省略）。前記補助ベルト２の表面には、複数のベルト押え２ａが設けられており、これらのベルト押え２ａの内側に前記胴ベルト１を通してこれらを一体に設けている。また、バックル３は胴ベルト１の一端部に取り付けられている。胴ベルト１の他端部にはバックル３の針を通す穴が設けられている（図示省略）。
【００２４】
また、この胴ベルト１には、複数の被係止具４が取り付けられており、そのうちの一部の被係止具４に工具用サック１０が取り付けられている。
【００２５】
次に、前記安全帯Ａに取り付ける被係止具４を説明する。被係止具４としては、一例として、コメロン社製のベルトホルダーを使用する。このベルトホルダーは、プラスチック製で、図２及び図３に示す様に、上端が開口した薄い箱型本体４ａ及びこの箱型本体４ａの背面にベルト係止体４ｂを有している。箱型本体４ａは、正面上端から下方に向けてＵ字状の切り欠き６を設けた嵌合孔７を有している。この嵌合孔７内に後述する工具用サック１０の背面に設けた係止具９を上方から嵌め入れるようになっている。この嵌合孔７の空間形状は扁平な略直方体形状となっている。また、前記嵌合孔７の内部両側の上方から下方へ向けて略Ｌ字形状の弾性体から成る係止脚４ｅを突出させている（図８参照）。
【００２６】
また、前記ベルト係止体４ｂは、前記箱型本体４ａの背面から略逆Ｕ字形状に折り曲げられて成り、下部に位置する端縁は、上方に若干折り上げて断面フック状に設け、このフック状の端縁４ｃが対向する箱型本体４ａの背面の下端縁のやや上部には横長の突起４ｄを設けている。これらの相対向する箱型本体４ａの背面とベルト係止体４ｂによって、前記安全帯Ａの胴ベルト１を挿通する空間５を形成している。
【００２７】
前記ベルト係止体４ｂは弾性を有し、フック状の端縁４ｃは通常は前記箱型本体４ａの前記突起４ｄと当接しており、箱型本体４ａの背面とベルト係止体４ｂによって形成される空間５を閉じるようになっているが、少し力を入れてフック状の端縁４ｃを動かせば閉鎖された空間５は開くようになっている。
【００２８】
さらに、前記箱型本体４ａの嵌合孔７の背面側に隙間を設けており、この隙間に縦長であって上部が上方に突出した略Ｔ字型で、下部８ａ（図８参照）が両側に拡大した板体を上下方向に移動自在に挿入して解除ボタン８を形成している。この解除ボタン８は、後述する係止具９を前記嵌合孔７に係止した後、当該係止を解除するものである。
【００２９】
続いて、工具用サック１０の背面に取り付けられた係止具９を説明する。この係止具９も前記被係止具４と同様に、コメロン社製である。この係止具９は、図４及び図５に示す様に、プラスチック製の略扁平な直方体を前記工具用サック１０の背面に重ねて設け、この直方体の外側の端面の両側及び下辺の端縁を突出させてフランジ状の嵌合突部９ａを設け、この嵌合突部９ａの両側の略中央には切り欠き９ｂを設けて係止具９を形成する。また、嵌合突部９ａの下辺にも切り欠き９ｃを設ける。
【００３０】
次に、前記被係止具４を前記安全帯Ａに取り付ける。図６は、前記安全帯Ａの胴ベルト１に被係止具４を取り付け、係止具９を取り付けた工具用サック１０を上方から、前記被係止具４に取り付けようとしている状態の説明図である。図７は、前記安全帯Ａの被係止具４の嵌合孔７に、上方から工具用サック１０背面の係止具９を押し込んだ状態を示す平面図である。図８は、前記安全帯Ａの被係止具４の嵌合孔７に、上方から工具用サック１０背面の係止具９を押し込み、被係止具４内部両側の係止脚４ｅを係止具９の嵌合突部９ａの切り欠き９ｂに係止させた状態を示す説明図である。図９は、前記図８の状態から解除ボタン８を押して、係止を解除した状態を示す説明図である。図１０は、この考案の実施例１の安全帯Ａに被係止具４を６個取り付けた状態の一部正面図である。
【００３１】
前記安全帯Ａの補助ベルト２の左端及び中央のベルト押え２ａから胴ベルト１の先端を外し、図１０に示す様に、この胴ベルト１の先端を前記被係止具４の空間５内に通して当該被係止具４を３個取り付けた後、当該胴ベルト１の先端を補助ベルト２の真中のベルト押え２ａに通し、また、前記と同様に３個の被係止具４を胴ベルト１に取り付けた後、胴ベルト１の先端を残った左端のベルト押え２ａに通す。この様にして、図１０に示すように、６個の被係止具４を取り付ける（この場合、被係止具４の個数は任意とする。）。
【００３２】
この後、作業者は、この安全帯Ａを自身の胴部に巻き回して取り付ける。そして、必要な工具を工具用サック１０に入れて、この工具用サック１０毎、図６（図６では工具の記載を省略）に示すように、上方から背面の係止具９の嵌合突部９ａを安全帯Ａの被係止具４の嵌合孔７に嵌め入れ、そのまま嵌合突部９ａの下辺の切り欠き９ｃがストッパ７ａに当たるまで押し込んで、図８に示すように、嵌合孔７内部両側の係止脚４ｅを嵌合突部９ａの切り欠き９ｂに係止させる。この場合、図７に示すように、係止具９の嵌合突部９ａの背面に形成された溝部９ｄに被係止具４の切り欠き６の端縁６ａが入る。
【００３３】
また、この工具用サック１０毎工具を取り外す際には、図９に示すように、前記解除ボタン８を下方に押すと、当該解除ボタン８の両側方向に拡大した下部８ａが嵌合孔７内部の両側の係止脚４ｅを押して開き、係止具９の嵌合突部９ａの切り欠き９ｂとの係止が解除され、この状態で工具用サック１０を上方へ押し上げれば容易に取り外すことが出来る。
【００３４】
この様な被係止具４を取り付けた安全帯Ａと前記係止具９を取り付けた工具用サック１０を用いることにより、工具の取替えがワンタッチで極めて容易に出来る。また、安全帯Ａに取り付ける工具重量のバランスを考えた工具の並び替えも、同様に簡単に出来るので、作業者は動き易くなり、作業効率もアップするものである。
【００３５】
また、安全帯Ａには、取り付ける工具の重量制限が決められているが、この安全帯Ａを使用すれば、不要な工具は簡単にサック毎取り外すことが出来るので、いつも必要な工具だけ所持していることが出来、安全帯Ａに取り付ける工具の重量を抑えることが出来、作業も円滑に行え、さらに、作業者にとっても無用の負担を避けることが出来る。
【００３６】
また、前記被係止具４と係止具９による係止は、確実かつ強固に係止できるものであって、腰回りで工具がぶらぶらと不用意に動いたりすることが無く安定しており、装着感が良く、この安全帯Ａを装着した状態での作業性も優れているものである。さらに、自分が所持する工具を別の作業者が必要とした場合、工具サック１０毎、簡単に、自身の安全帯Ａから外して相手に渡すことが出来、また、渡された相手も自身の安全帯Ａに簡単に工具サック１０毎取り付けることが出来、使い勝手が良いものである。
【００３７】
また、工具を安全帯Ａに取り付ける場合、前記被係止具４及び係止具９に付随するものとして、図１１に示す工具用簡易係止具１１を説明する。この工具用簡易係止具１１は、安全帯Ａに取り付けた工具用サック１０の中に工具を収納すると言うよりは、一旦、工具を仮留めしたい又は仮置きしたい時などに有効である。この工具用簡易係止具１１の正面略中央に強力な磁石板１１ａを設けており、背面には前記係止具９が設けられており、当該係止具９によって前記被係止具４に係止されるものである。この工具用簡易係止具１１に工具を係止する場合、工具の吸磁性体である金属部、例えば、ニッパー１２の挟持部１２ａの一側面を前記磁石板１１ａに当接させて吸着させるものである。なお、この工具用簡易係止具１１は、その背面に前記胴ベルト１に係止可能な適宜の係止具を備えたものでも良い。
【００３８】
前記実施例１では、被係止具４を取り付けるものとして安全帯Ａを使用しているが、被係止具４を取り付けるものの具体例としては安全帯に限るものではなく、工具を保持するものであれば他のものでも良い。
【００３９】
また、前記安全帯Ａに取り付けるものとして工具用サック１０を使用しているが、工具袋などでも良いものである。さらに、「○○用サック」と言う表現を用いているが、これは、メーカーによっては「○○用ホルダー」とも表現されるもので、これらの間に実質的な相違は無い。
【００４０】
また、実施例１では、被係止具４及び係止具９として、コメロン社製のものを使用しているが、被係止具及び係止具としては、コメロン社製のものに限らず、他のものでも良い。被係止具及び係止具としては、例えば、図１２に示すような、自動車のシートベルトに使用されているタングプレート３５及びバックル３６のような構造のものでも良く、タングプレート３５は工具用サックの背面に浮かせて取り付ける係止具、バックル３６は背面にループ部を設けてベルト本体に取り付ける被係止具とする。
【００４１】
さらに、リュックサックやスポーツバッグ等で使用されている、図１３に示すような、雄型（３７）及び雌型（３８）のいわゆるワンタッチバックルのような構造のものでも良い。この場合、雄型（３７）が工具用サックの背面に浮かせて取り付ける係止具の先端となり、雌型（３８）は背面にループ部を設けてベルト本体に取り付ける被係止具となる。また、前記係止具と被係止具は前記のものに限らず、一方に嵌合溝、他方に嵌合部を有するものであればよく、嵌合溝に嵌合部が嵌められた際、グラグラ動かないものが良い。
【００４２】
また、実施例１では、身体に装着する前の状態の安全帯Ａに、被係止具４を取り付けているが、被係止具４の取り付け又は取り外しは、身体に安全帯Ａを装着した後でももちろん出来る。その時は、前記安全帯Ａの胴ベルト１に、上方から当該被係止具４のベルト係止体４ｂの開閉自在な端縁４ｃを当てて下方へ押し込む。この被係止具４は、一旦胴ベルト１に取り付けられた後は、簡単には胴ベルト１からは取り外せないようになっている。
【図面の簡単な説明】
【００４３】
【図１】この考案の実施例１の安全帯の胴ベルトに被係止具を複数取り付け、その内の一部に工具用サックを取り付けた状態を示す正面図である。
【図２】この考案の実施例１の安全帯の被係止具の斜視図である。
【図３】この考案の実施例１の安全帯の被係止具の側面図である。
【図４】この考案の実施例１の安全帯において、工具用サックの背面に係止具を取り付けた状態の一部背面図である。
【図５】この考案の実施例１の安全帯において、工具用サックの背面に係止具を取り付けた状態の平面図である。
【図６】この考案の実施例１の安全帯の胴ベルトに取り付けられた被係止具に、係止具を取り付けた工具用サックを上方から取り付けようとしている状態の説明図である。
【図７】この考案の実施例１の安全帯の被係止具の嵌合孔に、工具用サック背面の係止具を押し込んだ状態を示す平面図である。
【図８】この考案の実施例１の安全帯の被係止具の嵌合孔に、上方から工具用サック背面の係止具の嵌合突部を係止させた状態を示す説明図である。
【図９】前記図８の状態から被係止具の解除ボタンを押して、係止具の嵌合突部の係止を解除した状態を示す説明図である。
【図１０】この考案の実施例１の安全帯に被係止具を取り付けた状態の一部正面図である。
【図１１】この考案の実施例１の被係止具及び係止具に付随して用いられる工具用簡易係止具と当該工具用簡易係止具の磁石板に固着されるニッパーを隣接して記載した正面図である。
【図１２】自動車のシートベルトの連結具であるタングプレート及びバックルの斜視図である。
【図１３】リュックサック等で使用されている雄雌型のいわゆるワンタッチバックルの斜視図である。
【図１４】従来の安全帯に工具用サックを取り付けた状態を示す正面図である。
【符号の説明】
【００４４】
Ａ    安全帯
１    胴ベルト          ２    補助ベルト      ２ａ  ベルト押え
３    バックル          ４    被係止具        ４ａ  箱型本体
４ｂ  ベルト係止体      ４ｃ  端縁            ４ｄ  突起
４ｅ  係止脚            ５    空間            ６    切り欠き
６ａ  端縁              ７    嵌合孔          ７ａ  ストッパ
８    解除ボタン        ８ａ  下部            ９    係止具
９ａ  嵌合突部        ９ｂ  切り欠き          ９ｃ  切り欠き
９ｄ  溝部            １０    工具用サック
１１    工具用簡易係止具                      １１ａ  磁石板
１２    ニッパー        １２ａ  挟持部        ３５    タングプレート
３６    バックル        ３７    ワンタッチバックル（雄型）
３８    ワンタッチバックル（雌型）
【図１】
0003172338.tif 000003
【図２】
0003172338.tif 000004
【図３】
0003172338.tif 000005
【図４】
0003172338.tif 000006
【図５】
0003172338.tif 000007
【図６】
0003172338.tif 000008
【図７】
0003172338.tif 000009
【図８】
0003172338.tif 000010
【図９】
0003172338.tif 000011
【図１０】
0003172338.tif 000012
【図１１】
0003172338.tif 000013
【図１２】
0003172338.tif 000014
【図１３】
0003172338.tif 000015
【図１４】
0003172338.tif 000016